(57)【要約】【課題】外部からの攻撃に対するセキュリィティの低下を防止した電源制御装置の集中管理システムを提供する。【解決手段】端末装置６０は、各電源制御装置１０〜１３の個別の監視条件を示す監視条件データ７０ｂ〜７３ｂを、ネットワーク４０を介して管理サーバー５０に送信し、管理サーバー５０は、端末装置６０から受信した監視条件データ７０ｂ〜７３ｂを記憶部７０に保持する。電源制御装置１０〜１３は、ルータ３０及びネットワーク４０介して、互いに異なるタイミングで定期的に管理サーバー５０にアクセスして、自身用の監視条件データが変更されたか否かを判断し、自身用の監視条件データが変更されたときには、該変更された監視条件データに基づいて自身の監視条件を変更する監視条件変更部を備える。【選択図】  図１
2016218860.tif 000002
【特許請求の範囲】
【請求項１】
被制御機器の電源入力部が接続される電源出力部と、該電源出力部に接続された前記被制御機器への電源供給と遮断とを切り替える電源切替部と、所定の監視条件に基づいて前記被制御機器の状態を監視し、前記被制御機器の異常発生時に前記電源切替部により前記被制御機器への電源供給を遮断して前記被制御機器の再起動処理を行う監視部と、他の装置との間で通信を行う通信部とを備えた電源制御装置と、
複数の前記電源制御装置をネットワークに接続するルータと、
データを保持する記憶部を有し、前記ネットワーク及び前記ルータを介して複数の前記電源制御装置と通信を行う管理サーバーと、
前記ネットワークを介して、前記管理サーバーと通信を行う端末装置とを備えて、
前記端末装置により、前記管理サーバーを介して複数の前記電源制御装置の状態を管理する電源制御装置の集中管理システムであって、
前記端末装置は、前記各電源制御装置の個別の前記監視条件を示す監視条件データを、前記ネットワークを介して前記管理サーバーに送信し、
前記管理サーバーは、前記ネットワークを介して前記端末装置から前記監視条件データを受信したときに、該受信した前記監視条件データを前記記憶部に保持し、
前記各電源制御装置は、前記ネットワーク及び前記ルータを介して、互いに異なるタイミングで定期的に前記管理サーバーにアクセスして、自身用の前記監視条件データが変更されたか否かを判断し、自身用の前記監視条件データが変更されたときには、該変更された監視条件データに基づいて自身の監視条件を変更する監視条件変更部を備えたことを特徴とする電源制御装置の集中管理システム。
【請求項２】
請求項１に記載の電源制御装置の集中管理システムであって、
前記各電源制御装置は、自身の前記電源出力部に接続された前記被制御機器の状態を示すデータを少なくとも含む状態監視データを、前記ネットワーク及び前記ルータを介して、互いに異なるタイミングで定期的に前記管理サーバーに送信し、
前記管理サーバーは、前記ネットワーク及び前記ルータを介して、前記各電源制御装置から前記状態監視データを受信したときに、該受信した前記状態監視データを前記記憶部に保持し、
前記端末装置は、前記ネットワークを介して前記管理サーバーにアクセスすることにより、前記各電源制御装置から送信された前記状態監視データを取得し、該取得した前記状態監視データに基づいて、前記各電源制御装置に接続された前記被制御機器の状態を監視することを特徴とする電源制御装置の集中管理システム。
【請求項３】
請求項１又は請求項２に記載の電源制御装置の集中管理システムであって、
前記各電源制御装置は、他の１台の前記電源制御装置との間で定期的に通信を行い、該通信が不能になっているときには、該他の前記電源制御装置が異常であることを示す異常通知データを、前記ネットワークを介して前記端末装置に送信し、
前記端末装置は、前記装置異常データに基づいて、前記各電源制御装置の異常を監視することを特徴とする電源制御装置の集中管理システム。
【請求項４】
被制御機器の電源入力部が接続される電源出力部と、該電源出力部に接続された前記被制御機器への電源供給と遮断とを切り替える電源切替部と、所定の監視条件に基づいて前記被制御機器の状態を監視し、前記被制御機器の異常発生時に前記電源切替部により前記被制御機器への電源供給を遮断して前記被制御機器の再起動処理を行う監視部と、他の装置との間で通信を行う通信部とを有する構成を備えた電源制御装置であって、
該構成を有する他の電源制御装置と共にルータに接続されたときに、前記通信部により、前記ルータ及びネットワークを介して、前記他の電源制御装置とは異なるタイミングで、監視条件を示す監視条件データが保持された管理サーバーに定期的にアクセスして、前記監視条件データが変更されたか否かを判断し、前記監視条件データが変更されていたときには、該変更された前記監視条件データに基づいて、前記監視条件を変更する監視条件変更部を備えたことを特徴とする電源制御装置。
【発明の詳細な説明】
【技術分野】
【０００１】
本発明は、ネットワークに接続された複数の電源制御装置の管理を、一括して行う電源制御装置の集中管理システム、及び電源制御装置の集中管理システムで用いられる電源制御装置に関する。
【背景技術】
【０００２】
従来、ネットワークに接続された被制御装置に電源を供給すると共に、被制御装置の作動状態を監視し、被制御装置の監視状況に応じて被制御装置への電源供給を一旦遮断することにより、被制御機器を再起動させる電源制御装置が提案されている（例えば、特許文献１参照）。
【０００３】
特許文献１には、電源制御装置１及び被制御装置６〜９をネットワーク４を介して外部端末５に接続し、電源制御装置１の通信部１３が、電源制御装置１及び被制御装置６〜９の状態を電子メール等により外部端末５に送信するようにしたシステム構成が記載されている。
【先行技術文献】
【特許文献】
【０００４】
【特許文献１】特開２００９−１６９５５１号公報
【発明の概要】
【発明が解決しようとする課題】
【０００５】
特許文献１に記載されたシステム構成のように、電源制御装置及び電源制御装置から電源が供給されている被制御装置の状態を、ネットワークを介して接続された外部端末によって監視する場合に、図９に示したように、複数の電源制御装置の状態を１台の外部端末によって管理する構成とすることが考えられる。
【０００６】
図９は、複数（４台）の電源制御装置２００〜２０３をルータ２１０及びネットワーク２２０を介して端末装置２３０に接続することよって、端末装置２３０側から各電源制御装置２００〜２０３にアクセス可能とした構成を例示している。図９の構成では、各電源制御装置及２００〜２０３の監視条件を示すデータを、端末装置２３０から各電源制御装置２００〜２０３に送信することによって、各電源制御装置２００〜２０３の監視条件を変更する。
【０００７】
ここで、図９の構成を採用した場合には、端末装置２３０から各電源制御装置２００〜２０３へのアクセスを可能にするため、ルータ２１０に設定されたＮＡＴ（Network Address Translator）テーブルにより、例えば、各電源制御装置２００〜２０３のローカルＩＰアドレス（192.168.1.15〜192.168.1.18）に、ルータ２１０のポート番号（1025〜1028）を付加したグローバルＩＰアドレス（49.29.79.11:1025〜49.29.79.11:1028）が割り当てられる。
【０００８】
しかしながら、このように、各電源制御装置２００〜２０３にグローバルＩＰアドレスを割り当てた場合、ネットワーク２２０側から見ると、多くのポートが開放されていることになり、このように開放されたポートを利用したＤｏｓ（Denial of Service）攻撃等を受け易くなるため、セキュリィティが低下するという不都合がある。
【０００９】
本発明はかかる背景に鑑みてなされたものであり、外部からの攻撃に対するセキュリィティの低下を防止した電源制御装置の集中管理システム及びこの集中管理システムで使用される電源制御装置を提供することを目的とする。
【課題を解決するための手段】
【００１０】
本発明の電源制御装置の集中管理システムは、
被制御機器の電源入力部が接続される電源出力部と、該電源出力部に接続された前記被制御機器への電源供給と遮断とを切り替える電源切替部と、所定の監視条件に基づいて前記被制御機器の状態を監視し、前記被制御機器の異常発生時に前記電源切替部により前記被制御機器への電源供給を遮断して前記被制御機器の再起動処理を行う監視部と、他の装置との間で通信を行う通信部とを備えた電源制御装置と、
複数の前記電源制御装置をネットワークに接続するルータと、
データを保持する記憶部を有し、前記ネットワーク及び前記ルータを介して複数の前記電源制御装置と通信を行う管理サーバーと、
前記ネットワークを介して、前記管理サーバーと通信を行う端末装置とを備えて、
前記端末装置により、前記管理サーバーを介して複数の前記電源制御装置の状態を管理する電源制御装置の集中管理システムに関する。
【００１１】
そして、本発明の電源制御装置の集中監視システムは、
前記端末装置は、前記各電源制御装置の個別の前記監視条件を示す監視条件データを、前記ネットワークを介して前記管理サーバーに送信し、
前記管理サーバーは、前記ネットワークを介して前記端末装置から前記監視条件データを受信したときに、該受信した前記監視条件データを前記記憶部に保持し、
前記各電源制御装置は、前記ネットワーク及び前記ルータを介して、互いに異なるタイミングで定期的に前記管理サーバーにアクセスして、自身用の前記監視条件データが変更されたか否かを判断し、自身用の前記監視条件データが変更されたときには、該変更された監視条件データに基づいて自身の監視条件を変更する監視条件変更部を備えたことを特徴とする。
【００１２】
かかる本発明によれば、前記各電源制御装置の前記監視条件の変更が、前記管理サーバーの記憶部に保持された前記監視条件データを、前記端末装置と前記管理サーバー間の通信によって変更し、前記各電源制御装置が、互いに異なるタイミングで定期的に前記管理サーバーにアクセスして、前記管理サーバーの記憶部に保持された前記監視条件データの変更の有無を判断することによって行われる。
【００１３】
この場合、前記各電源制御装置の前記監視条件を前記端末装置によって集中管理する際に、前記端末装置側から前記各電源制御装置に個別にアクセスする処理は実行されない。そのため、前記ルータにおいて各電源制御装置に割り当てたグローバルＩＰアドレスを前記ネットワークに開放する必要がなく、前記各電源制御装置のグローバルＩＰアドレスを開放することによるセキュリティの低下を防止することができる。
【００１４】
また、前記各電源制御装置は、自身の前記電源出力部に接続された前記被制御機器の状態を示すデータを少なくとも含む状態監視データを、前記ネットワーク及び前記ルータを介して、互いに異なるタイミングで定期的に前記管理サーバーに送信し、
前記管理サーバーは、前記ネットワーク及び前記ルータを介して、前記各電源制御装置から前記状態監視データを受信したときに、該受信した前記状態監視データを前記記憶部に保持し、
前記端末装置は、前記ネットワークを介して前記管理サーバーにアクセスすることにより、前記各電源制御装置から送信された前記状態監視データを取得し、該取得した前記状態監視データに基づいて、前記各電源制御装置に接続された前記被制御機器の状態を監視することを特徴とする。
【００１５】
この構成によれば、前記各電源制御装置に接続された前記被制御機器の状態が、前記各電源制御装置と前記管理サーバー間の定期的な通信によって、前記各電源制御装置に接続された前記被制御機器の状態を示す前記状態監視データを前記管理サーバーの記憶部に保持し、前記管理サーバーと前記端末装置間の通信によって、前記端末装置が前記管理サーバーの記憶部に保持された前記状態監視データを取得することによって行われる。
【００１６】
この場合、前記各電源制御装置に接続された前記被制御機器の状態を前記端末装置によって集中管理する際に、前記端末装置側から前記各電源制御装置にアクセスする処理は実行されない。そのため、前記ルータにおいて、前記各電源制御装置に割り当てたグローバルＩＰアドレスを前記ネットワークに対して開放する必要がなく、前記各電源制御装置のグローバルＩＰアドレスを開放することによるセキュリティの低下を防止することができる。
【００１７】
また、前記各電源制御装置は、他の１台の前記電源制御装置との間で定期的に通信を行い、該通信が不能になっているときには、該他の前記電源制御装置が異常であることを示す異常通知データを、前記ネットワークを介して前記端末装置に送信し、
前記端末装置は、前記装置異常データに基づいて、前記各電源制御装置の異常を監視することを特徴とする。
【００１８】
この構成によれば、複数の前記電源制御装置のいずれかに異常が生じて、前記管理サーバーとの通信が不能になったときに、該異常が生じた前記電源制御装置と定期的に通信を行っていた他の電源制御装置が、前記異常通知データを前記端末装置に送信する。これにより、前記異常通知データを受信した前記端末装置は、異常が生じている前記電源制御装置を認識することができる。
【００１９】
次に、本発明の電源制御装置は、
被制御機器の電源入力部が接続される電源出力部と、該電源出力部に接続された前記被制御機器への電源供給と遮断とを切り替える電源切替部と、所定の監視条件に基づいて前記被制御機器の状態を監視し、前記被制御機器の異常発生時に前記電源切替部により前記被制御機器への電源供給を遮断して前記被制御機器の再起動処理を行う監視部と、他の装置との間で通信を行う通信部とを有する構成を備えた電源制御装置であって、
該構成を有する他の電源制御装置と共にルータに接続されたときに、前記通信部により、前記ルータ及びネットワークを介して、前記他の電源制御装置とは異なるタイミングで、監視条件を示す監視条件データが保持された管理サーバーに定期的にアクセスして、前記監視条件データが変更されたか否かを判断し、前記監視条件データが変更されていたときには、該変更された前記監視条件データに基づいて、前記監視条件を変更する監視条件変更部を備えたことを特徴とする。
【００２０】
かかる本発明によれば、前記監視条件変更部は、前記他の電源制御装置が接続された前記ルータ及び前記ネットワークを介して、前記他の電源制御とは異なるタイミングにより前記管理サーバーにアクセスして、前記監視条件データが変更されているか否かを判断することによって、前記監視条件を変更する。この場合、前記電源制御装置の前記監視条件を変更するために、前記ネットワーク側から前記電源制御装置にアクセスする必要はない。そのため、前記ルータにおいて複数の前記電源制御装置のグローバルＩＰアドレスを前記ネットワークに開放する必要がなく、複数の前記電源制御装置のグローバルＩＰアドレスを開放することによるセキュリティの低下を防止することができる。
【図面の簡単な説明】
【００２１】
【図１】電源制御装置の集中管理システムの構成図。
【図２】電源制御装置の構成図。
【図３】電源制御装置の作動フローチャート。
【図４】複数の電源制御装置に割り当てられた管理サーバーへのアクセス期間の説明図。
【図５】電源制御装置による被制御機器のＰＩＮＧ監視及びポート監視の説明図。
【図６】ポート監視の説明図。
【図７】複数の電源制御装置における相互監視の説明図。
【図８】電源制御装置の作動チェックの説明図。
【図９】従来の構成による電源制御装置の集中管理システムの説明図。
【発明を実施するための形態】
【００２２】
本発明の実施形態の一例について、図１〜図８を参照して説明する。
【００２３】
図１を参照して、本実施形態の電源制御装置の集中管理システムは、ルータ３０（ブロードバンドルータ）を介してインターネット４０（本発明のネットワークに相当する）に接続された複数の電源制御装置１０〜１３の状態を、インターネット４０に接続された管理サーバー５０及び端末装置６０によって集中管理する構成となっている。なお、本発明のネットワークは、インターネット以外のグローバルネットワークであってもよく、また、ローカルネットワークであってもよい。
【００２４】
電源制御装置１０〜１３には、被制御機器（図１では、ローカルサーバー１０ａ〜１３ａ及び監視カメラ１０ｂ〜１３ｂを例示）が接続され、電源制御装置１０〜１３は被制御機器に電源を供給すると共に、被制御機器の作動状態を監視する。そして、電源制御装置１０〜１３は、被制御機器の異常を検知したとき（被制御機器の異常発生時）に、被制御機器への電源供給を一旦遮断して、被制御機器を再起動させる処理を行う。
【００２５】
次に、図２を参照して、電源制御装置１０は、商用交流電源（例えば、ＡＣ１００Ｖの電源）に接続される電源プラグ１００（本発明の電源入力部に相当する）、電源プラグ１００を介して供給される交流電力を直流電力に変換する直流電源１０１、直流電源１０１に接続されて直流電源１０１から直流電力が供給される基板１１０、被制御機器の電源プラグが接続される電源コンセント１２０，１２１，１２２（本発明の電源出力部に相当する）、ＤＣ電源出力端子１２３、インターフェースコネクタ１３０，１３２，１３３，１３４、設定スイッチ１３１、及び電源制御装置１０の作動状態を示すＬＥＤランプ１３５〜１３８を備えている。
【００２６】
基板１１０には、電源制御装置１０の作動を制御するマイクロコンピュータ１１１（以下、マイコン１１１という）マイコン１１１から出力される制御信号に応じて、電源コンセント１２０〜１２２への電源供給と遮断とを切り替えるリレー１１２〜１１４（本発明の電源切替部に相当する）、マイコン１１１から出力される制御信号に応じて、ＤＣ電源出力端子１２３からの直流電源の出力と遮断とを切り替えるトランジスタアレイ１１５、図示しない各種センサ（基板１１０の温度を検出する温度センサ、電源プラグ１２０〜１２２に接続される電力線への通電量を検出する電流センサ等）の検出信号を増幅してマイコン１１１に入力するセンサ回路１１６、電源制御装置１０における被制御機器の監視条件を示す監視条件データ７０ａ及び被制御機器の状態を示す状態監視データ９０ａが保持されるメモリ１１７が備えられている。
【００２７】
また、電源プラグ１００からリレー１１２〜１１４への交流電源の接続経路には、過電流が流れたときに溶断するヒューズ１１８が備えられている。電源制御装置１１〜１３の構成は、電源制御装置１０と共通である。
【００２８】
マイコン１１１は、メモリ１１７に保持された電源制御装置１０の制御用プログラムを実行することによって、電源制御装置１０の作動を制御する機能を果たし、本発明の監視部、通信部、及び監視条件変更部として機能する。
【００２９】
以下、図３に示したフローチャートに従って、電源制御装置の集中監視システムにおける一連の処理について説明する。
【００３０】
電源制御装置１０〜１３は、電源が投入されると、メモリに保持された電源装置１０〜１３の制御プログラムを、マイコン１１１により実行することによって、図３に示した処理を実行する。以下では、主として電源制御装置１０について説明するが、電源制御装置１１〜１３も同様にして処理を実行する。
【００３１】
［１．集中管理処理］
電源制御装置１０のマイコン１１１は、図３のＳＴＥＰ１で初期化及び初期設定の処理（入出力ポートの設定等）を行い、続くＳＴＥＰ２で、管理サーバー５０にアクセスして、電源制御装置１０用（電源制御装置１０自身用）の監視条件データ７０ｂを取得（受信）する。なお、マイコン１１１が他の装置との間で通信を行う構成は、本発明の通信部に相当する。
【００３２】
ここで、監視条件データ７０ｂは、電源制御装置１０及び電源制御装置１０に接続された被制御機器の監視条件（後述するＰＩＮＧ監視、ポート監視の実行の有無、通電量の許容範囲等）を示すものである。マイコン１１１は、メモリ１１７に保持された監視条件データ７０ａを、取得した監視条件データ７０ｂの内容に更新し、以後は内容が更新された監視条件データ７０ａを参照して、被制御機器の監視条件を設定する。
【００３３】
なお、ＳＴＥＰ２の処理により、マイコン１１１が監視条件を設定する構成は、本発明の監視条件変更部に相当する。
【００３４】
また、集中管理システムの管理者は、端末装置６０を操作して管理サーバー５０にアクセスし、記憶部７０に保持された各電源制御装置１０〜１３の監視条件データ７０ｂ〜７３ｂを変更する指示をすることにより、電源制御装置１０〜１３の監視条件を個別に変更することができる。
【００３５】
ここで、図４は、電源制御装置１０〜１３に対して設定された監視条件データ７０ａ〜７３ａの受信タイミングを、時間軸ｔによって示したものである。電源制御装置１０〜１３は、図４に示したように、互いに異なるタイミングに設定されたＴａ1〜Ｔｄ1，Ｔａ2〜Ｔｄ2，…によって、管理サーバー５０に順次アクセスして監視条件データを取得する。そのため、ルータ３０において、電源制御装置１０〜１３が接続される通信ポート（ＬＡＮポート）毎にグローバルＩＰアドレスを割り当てて、インターネット４０上に公開する必要がない。
【００３６】
そのため、ルータ３０において、多数のグローバルＩＰアドレスを公開することによるセキュリティの低下を防止することができる。
【００３７】
［２．ＰＩＮＧ監視／ポート監視処理］
続くＳＴＥＰ３で、マイコン１１１は、被制御機器についてＰＩＮＧ監視及びポート監視の処理を行う。図５を参照して、電源制御装置１０は、ルータ３０を介して被制御機器１０ａ，１０ｂと通信可能に接続されている。図５の例では、被制御機器１０ａは、ＯＳが実装されたローカルサーバーであり、被制御機器１０ｂはＯＳが実装されていない監視カメラである。
【００３８】
マイコン１１１は、監視カメラ１０ｂに対しては、ＰＩＮＧコマンドを送信して応答の有無を確認する（ＰＩＮＧ監視）ことによって、監視カメラ１０ｂが作動しているか否かを判断する。
【００３９】
また、ローカルサーバー１０ａに対しては、マイコン１１１は、ＰＩＮＧ監視に加えてポート監視も行う。これは、ＰＩＮＧ監視では、図６に示したＯＳＩ参照モデルにおいて、ネットワーク層までの通信が確立していることが確認できるが、トランスポート層以上での通信の確立を確認することができないからである。
【００４０】
マイコン１１１は、例えば、ローカルサーバー１０ａのＩＰアドレスが「192.168.1.5」であるときに、ローカルサーバー１０ａのＯＳ上で作動しているＷＥＢサーバーの動作を監視するときには、以下のコマンドをローカルサーバー１０ａに送信して、ポート監視を行う。
【００４１】
telnet 192.168.1.5 80
上記コマンドの最後の「８０」はＷＥＢサイト閲覧用のポート番号であり、ＷＥＢサーバーが正常に動作していれば、ローカルサーバー１０ａからＷＥＢページの内容が返信される。また、ＷＥＢサーバーが正常に動作していない場合には応答がない。
【００４２】
このように、ＯＳ上で動作している各種サービスに対応したポート番号を指定して、各々のサーバーからの応答を確認することによって、サーバー自体が動作しているか否かを判断することができる。
【００４３】
次のＳＴＥＰ４で、マイコン１１１は、ＰＩＮＧ監視及びポート監視の応答の有無を判断し、応答が有ったときはＳＴＥＰ５に進み、応答が無かったときはＳＴＥＰ２０に分岐して、被制御機器の再起動処理を行う。
【００４４】
［３．被制御機器の再起動処理］
ＳＴＥＰ２０〜ＳＴＥＰ２３は、被制御機器の再起動処理である。マイコン１１１は、ＳＴＥＰ２０で、ＳＴＥＰ４で応答が無かった被制御機器が接続された電源コンセント（電源コンセント１２０〜１２２のうちのいずれか）に接続されたリレー（リレー１１２〜１１４のうちのいずれか）をＯＦＦ制御して、続くＳＴＥＰ２１で、リレー接点がＯＦＦしたか否かを判断する。リレー接点がＯＦＦしたか否かの判断は、例えば、電流センサにより被制御機器への通電量がゼロになったことを確認して行う。
【００４５】
ＳＴＥＰ２１でリレー接点がＯＦＦしているとき（リレー正常時）はＳＴＥＰ２２に進み、リレー接点がＯＦＦしていないとき（リレー異常時）はＳＴＥＰ３０に分岐して、マイコン１１１は後述する異常対処処理を行う。
【００４６】
続くＳＴＥＰ２２で、マイコン１１１は、リレーをＯＮ制御に切り替えて、被制御機器への電源供給を再開することにより、被制御機器の再起動を図る。次のＳＴＥＰ２３で、マイコン１１１は、リレー接点が実際にＯＮしているか否かを判断する。リレー接点がＯＮしていることの判断は、例えば電流センサにより被制御機器への通電量が所定範囲内であることを確認して行う。
【００４７】
ＳＴＥＰ２３でリレー接点がＯＮしているとき（リレー正常時）はＳＴＥＰ２に戻り、リレー接点がＯＮしていないとき（リレー異常時）はＳＴＥＰ３０に分岐して、マイコン１１１は後述する異常対処処理を行う。
【００４８】
なお、ＳＴＥＰ３〜ＳＴＥＰ４、及びＳＴＥＰ２０〜ＳＴＥＰ２３の処理により、被制御機器の異常発生時に、被制御機器への電源供給を一旦遮断して再起動を行う構成は、本発明の監視部に相当する。
【００４９】
［４．電源制御装置の異常確認処理］
ＳＴＥＰ５〜ＳＴＥＰ６は、電源制御装置１０の異常確認処理である。マイコン１１１は、ＳＴＥＰ５で、図示しない各種センサにより、電源制御装置１０の内部電源電圧（基板１１０のＧＮＤ−電源間の電圧）、内部温度、トランジスタアレイ１１５へのＤＣ出力電圧等を検出し、検出値が規定範囲内であるかを確認して、電源制御装置１０の異常の有無を判断する。
【００５０】
そして、電源制御装置１０の異常がなかったときはＳＴＥＰ７に進み、電源制御装置１０の異常があったときにはＳＴＥＰ３０に分岐して、マイコン１１１は後述する異常対処処理を行う。
【００５１】
［５．相互監視処理］
ＳＴＥＰ７は、複数の電源制御装置１０〜１３間で行われる相互監視処理である。電源制御装置１０〜１３のマイコン１１１は、図７に示したように、ペアとなっている電源監視装置に対してＰＩＮＧ監視を行う。図７の例では、電源制御装置１０と電源制御装置１１、電源制御装置１１と電源制御装置１２、電源制御装置１２と電源制御装置１３、及び電源制御装置１３と電源制御装置１０がペアになっている。
【００５２】
そのため、電源制御装置１０のマイコン１１１は、ＳＴＥＰ７で電源制御装置１１に対してＰＩＮＧコマンドを送信して、電源制御装置１１から応答があるか否かを確認する。そして、電源制御装置１１から応答がなかったときは、電源制御装置１１が異常状態であると判断する。
【００５３】
続くＳＴＥＰ８で、マイコン１１１は、相互監視対象の異常の有無を判断し、異常状態であるときはＳＴＥＰ３０に分岐して、後述する異常対処処理を行う。一方、相互監視対象の異常が生じていないときにはＳＴＥＰ９に進む。
【００５４】
図７の例では、ルータ３０と電源制御装置１３間の通信ケーブル（ＬＡＮケーブル）の断線が生じているため、電源制御装置１３から電源制御装置１２に対する応答がなされない状況となっている。そのため、電源制御装置１２から端末装置６０に対して、電源制御装置１３の異常を通知するメール（異常通知メール）８０が送信されている。
【００５５】
［６．ライフチェック処理］
ＳＴＥＰ９は、電源制御装置１０が正常に動作していることを端末装置６０等の外部端末で確認するための処理（ライフチェック処理）である。
【００５６】
マイコン１１１は、ＳＴＥＰ９で、電源制御装置１０が正常に動作していることを通知する電子メール（正常通知メール）を、所定時間間隔で端末装置６０に送信する。端末装置６０は、図８に示したフローチャートによる処理を実行する。
【００５７】
端末装置６０は、図８のＳＴＥＰ５０で、初期化及び初期設定を行った後、ＳＴＥＰ５１で、電源制御装置１０からの正常通知メールの送信間隔に合わせて設定された待ち時間（メール送信待ち時間）が経過する毎に、ＳＴＥＰ５２に進んで電源制御装置１０から正常通知メールを受信したか否かを判断する。
【００５８】
そして、正常通知メールを受信したときはＳＴＥＰ５１に戻って、電源制御装置１０の動作の確認を継続する。また、正常通知メールを受信しなかったときには、ＳＴＥＰ５３に進み、端末装置６０は警報処理を行う。警報処理としては、電源制御装置１０の異常が発生していることをディスプレイに表示する、アラーム音を出力する等が行われる。
【００５９】
［７．異常対処処理］
電源制御装置１０のマイコン１１１は、図３０のＳＴＥＰ３０〜ＳＴＥＰ３１により、電源制御装置１０又は電源制御装置１０に接続された被制御機器の異常を通知する異常対処処理を行う。
【００６０】
マイコン１１１は、ＳＴＥＰ３０で、異常の内容（被制御機器からのＰＩＮＧ応答無し、被制御機器からのポート監視の応答無し、リレーの作動不良、電源制御装置１０の異常、相互監視対象の異常等）を通知する電子メール（異常通知メール）８０を、端末装置６０に送信する。なお、異常通知メールに含まれる異常の内容を示すデータは、本発明の異常通知データに相当する。
【００６１】
次のＳＴＥＰ３１で、マイコン１１１は、メモリ１１７に保持された状態監視データ９０ａを、管理サーバー５０に送信する。図７を参照して、電源制御装置１０〜１３は、異常の内容を示す状態監視データ９０ａ〜９３ａを、各電源制御装置１０〜１３のメモリ１１７に保持している。
【００６２】
そして、電源制御装置１０〜１３のマイコン１１１は、図４に示した監視条件データの送信期間と同様に、互いに異なるタイミングで定期的に状態監視データ９０ａ〜９３ａを管理サーバー５０に送信する。図７の例では、電源制御装置１２から管理サーバー５０に、状態監視データ９２ａが送信された場合を示している。
【００６３】
管理サーバー５０は、電源制御装置１０から状態監視データ９０ａを受信したときに、記憶部７０に保持された状態監視データ９０ｂを、状態監視データ９０ａの内容によって更新する。管理サーバーが、電源制御装置１１〜１３から状態監視データ９１ａ〜９３ａを受信したときも同様である。
【００６４】
このようにして、電源制御装置１０〜１３で異常が生じたときに、管理サーバー５０の記憶部７０に保持された状態監視データ９０ｂ〜９３ｂが、異常の内容を反映したものに更新される。
【００６５】
これにより、集中管理システムの管理者は、端末装置６０を操作して、管理サーバー５０の記憶部７０に保持された状態監視データ９０ｂを参照することによって、電源制御装置１２、電源制御装置１２に接続された被制御機器、及び電源制御装置１２により相互監視された電源制御装置１３の状態を確認することができる。状態監視データ９１ｂ〜９３ｂについても同様である。
【００６６】
なお、本実施形態に示した電源制御装置の集中管理システムにおいては、１．集中管理処理、２．ＰＩＮＧ監視／ポート監視処理、３．被制御機器の再起動処理、４．電源制御装置の異常確認処理、５．相互監視処理、６．ライフチェック処理、及び７．異常対処処理を行ったが、少なくとも１．集中管理処理を行うことによって、本発明の効果を得ることができる。
【符号の説明】
【００６７】
１０〜１３…電源制御装置、１０ａ，１０ｂ，１１ａ，１１ｂ，１２ａ，１２ｂ，１３ａ，１３ｂ…被制御機器、３０…ルータ、４０…インターネット（ネットワーク）、５０…管理サーバー、６０…端末装置、７０…記憶部、７０ａ〜７３ａ…監視条件データ、９０ａ〜９３ａ…状態監視データ。
【図１】
2016218860.tif 000003
【図２】
2016218860.tif 000004
【図３】
2016218860.tif 000005
【図４】
2016218860.tif 000006
【図５】
2016218860.tif 000007
【図６】
2016218860.tif 000008
【図７】
2016218860.tif 000009
【図８】
2016218860.tif 000010
【図９】
2016218860.tif 000011